(57)【要約】【課題】  電子メール送信者と電子メール受信者との両方の意図を適切に反映した電子メール着信時動作を行うことが可能な通信装置、及び、電子メール受信方法を提供する。【解決手段】  電子メール受信装置１２０の着信時動作決定部１２２は、電子メール送信装置１１０で設定された電子メール着信時の動作を示す送信者設定情報と、自装置１２０で設定された電子メール着信時の動作を示す受信者設定情報とを比較することにより、予め定められたルールに従って、電子メール送信装置１１０から送信された電子メールが自装置１２０に着信した時の動作を決定する。【選択図】  図１
2006331291.tif 000002
【特許請求の範囲】
【請求項１】
電子メールを受信する通信装置において、
電子メール送信装置で設定された電子メール着信時の動作を示す送信者設定情報と、自装置で設定された電子メール着信時の動作を示す受信者設定情報とを比較することにより、前記電子メール送信装置から送信された電子メールが自装置に着信した時の動作を決定する着信時動作決定手段を備えることを特徴とする通信装置。
【請求項２】
前記電子メール着信時の動作には、該動作の種類に応じて予め強度が設定されており、
前記着信時動作決定手段は、
より大きい強度が設定されている動作を、電子メールが自装置に着信した時の動作として決定することを特徴とする
請求項１に記載の通信装置。
【請求項３】
前記送信者設定情報及び前記受信者設定情報には、電子メール着信時の動作を示す情報に加えて、該動作が強制設定されているか否かを示す強制設定情報が含まれており、
前記着信時動作決定手段は、
強制設定されていない動作よりも強制設定されている動作を、電子メールが自装置に着信した時の動作として優先的に決定することを特徴とする
請求項１又は２に記載の通信装置。
【請求項４】
前記着信時動作決定手段は、
前記送信者設定情報と前記受信者設定情報との両方に前記強制設定情報が含まれている場合に、
前記受信者設定情報で示される動作を、電子メールが自装置に着信した時の動作として決定することを特徴とする
請求項３に記載の通信装置。
【請求項５】
電子メールを受信する電子メール受信方法において、
電子メールとともに、送信者により設定された電子メール着信時の動作を示す送信者設定情報を電子メール送信装置から受信する受信ステップと、
前記受信ステップにおいて受信された送信者設定情報と、受信者により設定された電子メール着信時の動作を示す受信者設定情報とを比較することにより、前記受信ステップにおいて受信された電子メールについての着信時動作を決定する着信時動作決定ステップと、
前記着信時動作決定ステップにおいて決定された着信時動作を実行する着信時動作実行ステップと
を有することを特徴とする電子メール受信方法。
【発明の詳細な説明】
【技術分野】
【０００１】
本発明は、電子メール着信時にユーザに通知する動作を行う通信装置、及び、電子メール受信方法に関するものである。
【背景技術】
【０００２】
従来、携帯端末などの通信端末では、電子メールが着信した際にそのことをユーザに知らせるために所定の着信時動作を行うことが一般的である。現在発売されている一般的な携帯端末では、所定の着信音を鳴らす、バイブレートする、その両方を利用する、全くなにもしない、の４種類の動作の中からユーザが選択し設定することができる。ユーザはこの機能を利用して、例えば、仕事中は着信音を鳴らさない、プライベートでは着信音を鳴らす、などの大まかな設定を行うことができる。しかしながら、電子メールが携帯端末に着信するタイミングは完全に電子メール送信者に依存しており、様々な状況において携帯端末がユーザの望む着信時動作を行うとは限らない。例えば、ユーザの就寝中に着信音が鳴り安眠を妨害されるケースや、ユーザの仕事中に着信音が鳴らなかったために重要なメールを見落としてしまうケースなどがある。このように、電子メール送信者の意図を反映せずに、電子メール受信者による設定のみに従って着信時動作を行うと不都合が生じる場合がある。
【０００３】
電子メール送信者が電子メールの各種設定を行う技術も存在する。例えば、非特許文献１には、電子メール送信者が電子メールの重要性を設定し、送信した電子メールの重要性を電子メール受信者に通知する技術が開示されている。非特許文献１に開示されている電子メール用のソフトウェアには、電子メール送信者が判断した電子メールの重要性を５段階で設定する機構が用意されている。
【０００４】
また、電子メール着信時の動作設定に関する技術が開示されている特許文献としては、特許文献１〜６が存在する。
特許文献１〜３では、電子メール受信者がマナーモードへ移行する条件もしくはマナーモードを終了する条件を予め携帯端末に設定しておき、携帯端末が当該設定された条件に基づいて自動的に着信時動作を変化させる方法が提案されている。
【０００５】
特許文献４には、レストランや映画館などに設置された基地局が、自身が設置された場所の特性に従って携帯端末の着信時動作を自動で設定する技術内容が記載されている。特許文献５には、電子メール受信者が携帯する携帯端末が、自端末の振動や移動スピード等の状態に従って、適切な着信時動作を決定する技術内容が記載されている。
特許文献６には、電子メール送信者による着信時動作の指定によって、通信端末における着信時動作を変化させる技術内容が記載されている。
【０００６】
【特許文献１】特開２００５−５７５２５号公報
【特許文献２】特開２００４−３３６１９４号公報
【特許文献３】特開２０００−２７００４９号公報
【特許文献４】特開平１０−７５４６９号公報
【特許文献５】特開平５−１３６７２７号公報
【特許文献６】特開２００２−０２７０３４号公報
【非特許文献１】マイクロソフトオフィス（登録商標）製品情報、［online］、［平成１７年３月３０日検索］、インターネット＜URL：http://www.microsoft.com/japan/office/outlook/prodinfo/default.mspx＞
【発明の開示】
【発明が解決しようとする課題】
【０００７】
しかしながら、非特許文献１に記載されている重要度設定の仕組みは、受信した複数の電子メールのうちどの電子メールが重要であるかを電子メール受信者が知る手がかりにはなるが、電子メール着信時の動作をなんら規定するものではない。このため、非特許文献１に記載の技術を用いたとしても、重要な電子メールの着信を電子メール受信者に気づかせる手段とはならない。
【０００８】
また、特許文献１〜３に記載の技術は、何れも電子メール受信者が着信時動作を設定することを前提としており、電子メール送信者の意図を反映することができない。また、特許文献４及び特許文献５に記載の技術は、携帯端末の状態に応じて電子メールの着信時動作を設定するものであり、同様に電子メール送信者の意図を反映することができない。
特許文献６に記載の技術においては、着信時動作に対して電子メール送信者の意図を反映することはできるが、逆に、電子メール受信者の意図を反映することができない。従って、電子メール受信者の意に反して就寝中や会議中に着信音が鳴ったり、あるいは、電子メール受信者が電子メール着信時には常に着信音を鳴らしたいと思っても、着信音が鳴らないといった不具合が発生する。
本発明は、上記の問題点に鑑みてなされたものであり、電子メール送信者と電子メール受信者との両方の意図を適切に反映した電子メール着信時動作を行うことが可能な通信装置、及び、電子メール受信方法を提供することを目的とする。
【課題を解決するための手段】
【０００９】
上記課題を解決するために、請求項１に記載の発明は、電子メールを受信する通信装置において、電子メール送信装置で設定された電子メール着信時の動作を示す送信者設定情報と、自装置で設定された電子メール着信時の動作を示す受信者設定情報とを比較することにより、前記電子メール送信装置から送信された電子メールが自装置に着信した時の動作を決定する着信時動作決定手段を備えることを特徴とする通信装置を提供する。
【００１０】
この発明によれば、通信装置は、電子メール送信装置で設定された電子メール着信時の動作を示す送信者設定情報と、自装置で設定された電子メール着信時の動作を示す受信者設定情報とを比較することにより、電子メール送信装置から送信された電子メールが自装置に着信した時の動作を決定するため、決定された動作に基づいて、電子メール送信者と電子メール受信者との両方の意図を適切に反映した電子メール着信時動作を行うことができる。
【００１１】
請求項２に記載の発明は、請求項１に記載の通信装置において、前記電子メール着信時の動作には、該動作の種類に応じて予め強度が設定されており、前記着信時動作決定手段は、より大きい強度が設定されている動作を、電子メールが自装置に着信した時の動作として決定することを特徴とする。
この発明によれば、着信時動作決定手段は、動作に予め設定されている強度を考慮しながら電子メールが自装置に着信した時の動作を決定することができ、電子メール送信者と電子メール受信者との両方の意図を適切に反映した電子メール着信時動作を行うことができる。
【００１２】
請求項３に記載の発明は、請求項１又は２に記載の通信装置において、前記送信者設定情報及び前記受信者設定情報には、電子メール着信時の動作を示す情報に加えて、該動作が強制設定されているか否かを示す強制設定情報が含まれており、前記着信時動作決定手段は、強制設定されていない動作よりも強制設定されている動作を、電子メールが自装置に着信した時の動作として優先的に決定することを特徴とする。
この発明によれば、着信時動作決定手段は、強制設定されていない動作よりも強制設定されている動作を優先的に電子メールが自装置に着信した時の動作として決定することができ、強制設定を行った電子メール送信者又は電子メール受信者の意図を適切に反映した電子メール着信時の動作を行うことができる。
【００１３】
請求項４に記載の発明は、請求項３に記載の通信装置において、前記着信時動作決定手段は、前記送信者設定情報と前記受信者設定情報との両方に前記強制設定情報が含まれている場合に、前記受信者設定情報で示される動作を、電子メールが自装置に着信した時の動作として決定することを特徴とする。
この発明によれば、着信時動作決定手段は、送信者設定情報と受信者設定情報との両方に強制設定情報が含まれている場合に、電子メール受信者の意図を優先することができ、電子メール送信者と電子メール受信者との両方の意図を適切に反映して電子メール着信時の動作を行うことができる。
【００１４】
請求項５に記載の発明は、電子メールを受信する電子メール受信方法において、電子メールとともに、送信者により設定された電子メール着信時の動作を示す送信者設定情報を電子メール送信装置から受信する受信ステップと、前記受信ステップにおいて受信された送信者設定情報と、受信者により設定された電子メール着信時の動作を示す受信者設定情報とを比較することにより、前記受信ステップにおいて受信された電子メールについての着信時動作を決定する着信時動作決定ステップと、前記着信時動作決定ステップにおいて決定された着信時動作を実行する着信時動作実行ステップとを有することを特徴とする電子メール受信方法を提供する。
この発明によれば、受信した送信者設定情報と、受信者により設定された受信者設定情報とを比較することによって着信時動作を決定し、決定された着信時動作を行うため、電子メール送信者と電子メール受信者との両方の意図を適切に反映した電子メール着信時動作を行うことができる。
【発明の効果】
【００１５】
本発明によれば、通信装置は、電子メール送信装置で設定された電子メール着信時の動作を示す送信者設定情報と、自装置で設定された電子メール着信時の動作を示す受信者設定情報とを比較することにより、電子メール送信装置から送信された電子メールが自装置に着信した時の動作を決定するため、決定された動作に基づいて、電子メール送信者と電子メール受信者との両方の意図を適切に反映した電子メール着信時の動作を行うことができる。
【発明を実施するための最良の形態】
【００１６】
以下、本発明の実施の形態について、図面を参照して説明する。
［１．構成］
まず、本実施形態に係る電子メール送受信システムの構成について説明する。図１は、本実施形態に係る電子メール送受信システムの構成図である。同図に示すように、電子メール送受信システム１００は、電子メール送信装置１１０と電子メール受信装置１２０とを含んで構成される。電子メール送信装置１１０と電子メール受信装置１２０とは、通信ネットワークによって通信可能に接続されている。電子メール送信装置１１０と電子メール受信装置１２０とは一般的なコンピュータのハードウェア構成を備えた通信装置であり、例えば、携帯電話機、ＰＨＳ（Personal Handyphone System）、ＰＤＡ（Personal Digital Assistance）、パーソナルコンピュータ等が該当する。
【００１７】
［１．１．電子メール受信装置の構成］
次に、電子メール受信装置１２０の構成について説明する。電子メール受信装置１２０は、図示せぬＣＰＵ（Central Processing Unit）、メモリ、通信インターフェース、入力装置、ディスプレイ、スピーカ、バイブレーション用のモータ等のハードウェア資源、及び、メモリに記憶されるプログラム、データ等のソフトウェア資源を備えている。メモリに記憶されるソフトウェア資源には、電子メール用のソフトウェアと、電子メール着信時の動作設定を行うためのプログラムと、設定された電子メール着信時の動作を示す情報と、設定所定のルールに基づいて電子メール着信時の動作を決定するためのプログラムと、電子メール着信時の動作を実行するためのプログラムと、が含まれている。
【００１８】
これらのハードウェア資源及びソフトウェア資源によって、図１に示す電子メール受信装置１２０の機能構成が実現される。同図に示すように、電子メール受信装置１２０は、受信者着信時動作設定部１２１と、着信時動作決定部１２２と、電子メール受信処理部１２３とを備えている。以下、各構成要素について説明する。
受信者着信時動作設定部１２１は、電子メールが自装置１２０に着信した時の動作を設定する。具体的には、受信者着信時動作設定部１２１は、電子メール受信者により入力された設定内容を「受信者設定情報」としてメモリに記憶する。なお、送信者設定情報のデフォルト値として、例えば“着信音”がメモリに記憶されていてもよい。
【００１９】
受信者設定情報の種類としては、例えば、“着信音強制”、“着信音”、“バイブレーション強制”、“バイブレーション”、“動作なし強制”、“動作なし”が存在する。この受信者設定情報には、電子メール着信時の動作を示す情報と、当該動作が強制設定されているか否かを示す強制設定情報とが含まれている。例えば、受信者設定情報“着信音強制”に含まれる“強制”が強制設定情報であり、“着信音”という動作が強制設定されていることを示している。また、受信者設定情報“バイブレーション強制”に含まれる“強制”は、“バイブレーション”という動作が強制設定されていることを示している。また、受信者設定情報“着信音”には“強制”が含まれていないため、“着信音”という動作が強制設定されていないことを示している。
【００２０】
電子メール受信処理部１２３は、電子メールとともに、電子メール送信者により設定された電子メール着信時の動作を示す送信者設定情報を電子メール送信装置１１０から受信し、受信した電子メールをユーザが閲覧できるようにメモリに保存する。同時に、電子メール受信処理部１２３は、受信した送信者設定情報を着信時動作決定部１２２に出力する。電子メール受信装置１２０は、着信時動作決定部１２２の判断に従って電子メールの着信時動作を行う。
【００２１】
着信時動作決定部１２２は、電子メール受信処理部１２３により電子メール送信装置１１０から受信した送信者設定情報と、自装置１２０の受信者着信時動作設定部１２１により設定された受信者設定情報とを比較することにより、予め定められたルールに従って、電子メール送信装置１１０から送信された電子メールが自装置１２０に着信した時の動作を決定する。
【００２２】
予め定められたルールとして次のようなものが考えられる。例えば、電子メール着信時の動作には、当該動作の種類に応じた強度が予め設定されており、着信時動作決定部１２２は、当該強度に基づいて電子メールが自装置１２０に着信した時の動作を決定する。具体的には、着信時動作決定部１２２は、送信者設定情報で示される動作に設定されている強度と、受信者設定情報で示される動作に設定されている強度とを比較し、より大きい強度が設定されている動作を選択する。動作に対する強度の設定方法としては、例えば、周囲への影響が小さい動作順、すなわち、“動作なし”、“バイブレーション”、“着信音”の順に大きい強度を設定する。
【００２３】
他のルールとして、着信時動作決定部１２２は、強制設定されていない動作よりも強制設定されている動作を優先して、電子メールが自装置１２０に着信した時の動作として決定する。具体的には、着信時動作決定部１２２は、送信者設定情報及び受信者設定情報に強制設定情報が含まれているか否かを判断し、一方に強制設定情報が含まれておらず、かつ、他の一方に強制設定情報が含まれている場合には、強制設定されている方の動作を電子メールが自装置１２０に着信した時の動作として決定する。例えば、着信時動作決定部１２２は、送信者設定情報が“着信音強制”を示し、受信者設定情報が“バイブレーション”を示している場合に、強制設定されている動作“着信音”を電子メールが自装置１２０に着信した時の動作として決定する。
【００２４】
また、他のルールとして、着信時動作決定部１２２は、送信者設定情報と受信者設定情報との両方に強制設定情報が含まれている場合には、電子メール受信者による設定を優先し、受信者設定情報で示される動作を電子メールが自装置１２０に着信した時の動作として決定する。例えば、着信時動作決定部１２２は、送信者設定情報が“着信音強制”であり、受信者設定情報が“バイブレーション強制”である場合には、“着信音”及び“バイブレーション”の両方の動作が強制設定されていることを示しているため、着信時動作決定部１２２は、受信者設定情報で示される動作“バイブレーション”を電子メールが自装置１２０に着信した時の動作として決定する。
なお、以上のルールは、予めメモリに記憶されているか、プログラムに記述しておくことができる。
【００２５】
［１．２．電子メール送信装置の構成］
次に、電子メール送信装置１１０の構成について説明する。電子メール送信装置１１０は、図示せぬＣＰＵ、メモリ、通信インターフェース、ディスプレイ、入力装置等のハードウェア資源、及び、メモリに記憶されるプログラム、データ等のソフトウェア資源を備えている。メモリに記憶されるソフトウェア資源には、電子メール用のソフトウェアや、送信する電子メールの着信時動作設定を行うためのプログラムが含まれている。これらのハードウェア資源及びソフトウェア資源によって、図１に示す電子メール送信装置１１０の機能構成が実現される。同図に示すように、電子メール送信装置１１０は、送信者着信時動作設定部１１１と、電子メール送信処理部１１２とを備えている。
【００２６】
電子メール送信処理部１１２は、電子メール送信者が記述した電子メールの入力受付、及び、その電子メールの送信を行う。
送信者着信時動作設定部１１１は、電子メール送信処理部１１２により送信された電子メールが電子メール受信装置１２０に着信した時の電子メール受信装置１２０の動作設定を行う。具体的には、送信者着信時動作設定部１１１は、電子メール送信者により入力された設定内容を「送信者設定情報」としてメモリに記憶する。なお、送信者設定情報のデフォルト値として、例えば“着信音”がメモリに記憶されていてもよい。
【００２７】
メモリに記憶される送信者設定情報としては、例えば、“着信音強制”、“着信音”、“バイブレーション”、“動作なし”が存在する。
送信者設定情報には、受信者設定情報と同様に、電子メール着信時の動作を示す情報と、当該動作が強制設定されているか否かを示す強制設定情報とが含まれている。送信者設定情報に含まれる強制設定情報によって、電子メール着信時の動作が強制設定されているか否かが示される。
【００２８】
［２．動作］
続いて、図２を参照して、本実施形態に係る電子メール送受信システム１００において、電子メール送信装置１１０から電子メール受信装置１２０に電子メールを送信する際の動作例について説明する。
前提として、電子メール受信装置１２０の受信者着信時動作設定部１２１は、電子メール受信者により設定入力された受信者設定情報を予めメモリに記憶しているものとする。
まず、電子メール送信者は、電子メール送信装置１１０の電子メール送信処理部１１２を用いて電子メールを記述する。その際に、電子メール送信者は、予め用意された電子メール着信時動作の選択肢の中から所望のものを選択する。
【００２９】
これにより、電子メール送信装置１１０の送信者着信時動作設定部１１１は、選択された電子メール着信時動作を送信者設定情報としてメモリに一時的に記憶するとともに、当該送信者設定情報を電子メール送信処理部１１２に出力する（ステップＳ１）。
電子メール送信処理部１１２は、電子メール送信者が記述した電子メールとともに、設定された送信者設定情報を電子メール受信装置１２０に対して送信する（ステップＳ２）。
【００３０】
電子メール受信処理部１２３は、電子メール送信装置１１０から電子メール及び送信者設定情報を受信すると、受信した送信者設定情報を着信時動作決定部１２２に対して出力する（ステップＳ３）。
着信時動作決定部１２２は送信者設定情報を受け取ると、受信者着信時動作設定部１２１に対して、電子メール受信者により設定された受信者設定情報を要求する（ステップＳ４）。
【００３１】
受信者着信時動作設定部１２１は着信時動作決定部１２２から要求を受けると、受信者設定情報をメモリより読み出して着信時動作決定部１２２に対して出力する（ステップＳ５）。
着信時動作決定部１２２は、受信者着信時動作設定部１２１から受信者設定情報を受け取ると、受信者設定情報と送信者設定情報とを比較し、予め定められたルールに従って最終的な電子メール着信時動作を決定する（ステップＳ６）。
【００３２】
例えば、送信者設定情報が“バイブレーション”であり、受信者設定情報が“着信音”であって、“着信音”よりも“バイブレーション”の動作に予め大きい強度が設定されている場合には、着信時動作決定部１２２は、電子メール着信時動作を“バイブレーション”に決定する。これにより、電子メール送信者は、緊急の用件でない場合に、電子メール受信者を思いやった電子メール送信を行うことができる。
【００３３】
また、送信者設定情報が“バイブレーション”であり、受信者設定情報が“着信音強制”である場合、“着信音”という動作のみが強制設定されているため、着信時動作決定部１２２は、電子メール着信時動作を“着信音”に決定する。これにより、電子メール送信者の着信時動作設定に関わらず、電子メール受信者は、着信音が鳴らずに電子メールの着信に気づかないといった不具合を防ぐことができる。
【００３４】
また、送信者設定情報が“着信音強制”であり、受信者設定情報が“バイブレーション強制”である場合、“着信音”と“バイブレーション”との両方の動作が強制設定されているため、着信時動作決定部１２２は、電子メール着信時動作を”バイブレーション”に決定する。これにより、電子メール送信者及び電子メール受信者とも着信時動作を強制設定した場合に、電子メール受信者の意図を重んじた着信時動作を行うことができる。
着信時動作決定部１２２は、以上のような電子メール着信時動作の決定結果を電子メール受信処理部１２３に出力する（ステップＳ７）。
電子メール受信処理部１２３は、着信時動作決定部１２２から決定結果を受け取ると、それに従って電子メール着信時動作を実行する（ステップＳ８）。
【００３５】
以上説明したように、電子メール送信者によって電子メール送信装置１１０で設定された電子メール着信時の動作を示す送信者設定情報と、電子メール受信者によって電子メール受信装置１２０で設定された電子メール着信時の動作を示す受信者設定情報とを比較することにより、予め定められたルールに従って、電子メール送信装置１１０から送信された電子メールが電子メール受信装置１２０に着信した時の動作を決定することで、電子メール送信者と電子メール受信者との両方の意図を適切に反映した電子メール着信時の動作を決定することができる。
【００３６】
例えば、電子メール送信者が夜遅くに電子メールを送信する場合、電子メール受信者を気遣って、“動作なし”を着信時動作として設定して電子メールを送信することにより、電子メール受信装置１２０が着信時動作を行わないようにすることや、逆に、ただちに返信が必要な電子メールを送信する場合に、電子メール送信者が“着信音強制”を設定して電子メールを送信することで、電子メール送信者の意思により強制的に着信音を鳴らすことが可能となる。
【００３７】
一方、電子メール受信者は、着信通知を受けたくない場合には、“動作なし強制”を設定しておくことで、いかなる着信時動作も発生させないで済む。また、“動作なし”を設定しておけば、電子メール送信者が着信時動作を強制設定した場合にのみ着信通知を受けることができる。
なお、上述した実施形態においては、電子メール送信装置１１０は電子メール送信機能を備えており、電子メール受信装置１２０は電子メール受信機能を備えているとして説明したが、１台の通信装置が電子メール送信装置１１０と電子メール受信装置１２０との両方の機能を備えていて、メールの送受信を行うようにしてもよい。
【００３８】
また、上述した実施形態において説明した電子メール着信時の動作の種類は一例であり、例えば、着信音動作を着信音のメロディーの種類で分類してもよいし、着信音の大きさ、バイブレーションの振動の大きさで分類してもよい。
また、上述した実施形態における電子メール着信時の動作決定ルールは一例であり、例えば、動作の強度は“バイブレーション”、“動作なし”、“着信音”の順で設定してもよいし、電子メール送信者側の意図がより優先されるようなルールであってもよい。
また、上述した実施形態において、送信者設定情報や受信者設定情報に“強制”の記述を含めることにより、動作が強制設定されていることを示したが、記述方法はこれに限定されず、例えば、“動作種類：着信音、強制設定あり”、“動作種類：着信音、強制設定なし”のような記述方法でもよい。
【産業上の利用可能性】
【００３９】
電子メール送信者及び電子メール受信者によって設定された内容の組み合わせによって、電子メール着信時動作の木目細かな制御に利用することができる。
【図面の簡単な説明】
【００４０】
【図１】本発明の実施形態に係る電子メール送受信システムの全体構成を示す図である。
【図２】同実施形態に係る電子メール送信装置から電子メール受信装置に電子メールを送信する際の動作例を示すシーケンスチャートである。
【符号の説明】
【００４１】
１００  電子メール送受信システム
１１０  電子メール送信装置
１１１  送信者着信時動作設定部
１１２  電子メール送信処理部
１２０  電子メール受信装置
１２１  受信者着信時動作設定部
１２２  着信時動作決定部
１２３  電子メール受信処理部
【図１】
2006331291.tif 000003
【図２】
2006331291.tif 000004